(57)【特許請求の範囲】
【請求項１】
ＢＢ（ＢａｓｅＢａｎｄ）フレームのストリームであるＢＢストリームのＢＢフレームを、複数のデータスライスに分配することで得られる複数の分割ストリームを受信する受信部と、
前記複数の分割ストリームから、元の前記ＢＢストリームを再構成する再構成部と
を備え、
前記複数の分割ストリームは、ＤＶＢ−Ｃ２（Ｄｉｇｉｔａｌ  Ｖｉｄｅｏ  Ｂｒｏａｄｃａｓｔｉｎｇ−Ｃａｂｌｅ  ｓｅｃｏｎｄ  ｇｅｎｅｒａｔｉｏｎ）規格で規定されたＰＬＰ（Ｐｈｙｓｉｃａｌ  Ｌａｙｅｒ  Ｐｉｐｅ）バンドリングに従い、同一のネットワークにおける異なるＣ２システムで伝送され、
前記再構成部は、前記複数の分割ストリームが隣接していない周波数帯域で伝送される場合、伝送制御情報に含まれる、隣接していない周波数帯域で伝送される前記複数の分割ストリームから元の前記ＢＢストリームを再構成するための再構成情報に基づいて、元の前記ＢＢストリームを再構成する
受信装置。
【請求項３】
前記伝送制御情報は、Ｌ１シグナリング情報であり、
前記複数の分割ストリームごとの前記Ｌ１シグナリング情報は、前記再構成情報として、ネットワークＩＤ、Ｃ２システムＩＤ、ＰＬＰがバンドルされていることを示すＰＬＰバンドル情報、及び、ＰＬＰ  ＩＤを少なくとも含み、
前記再構成部は、同一のネットワークであって、かつ、異なるＣ２システム内で、同一のＰＬＰ  ＩＤを有する前記複数の分割ストリームから、元の前記ＢＢストリームを再構成する
請求項１に記載の受信装置。
【請求項４】
前記伝送制御情報は、Ｌ１シグナリング情報であり、
前記複数の分割ストリームごとの前記Ｌ１シグナリング情報は、前記再構成情報として、ネットワークＩＤ、Ｃ２システムＩＤ、ＰＬＰがバンドルされていることを示すＰＬＰバンドル情報、及び、ＰＬＰ  ＩＤを少なくとも含み、
前記再構成部は、同一のネットワークであって、かつ、異なるＣ２システム内で、特定のＰＬＰ  ＩＤを有する前記複数の分割ストリームから、元の前記ＢＢストリームを再構成する
請求項１に記載の受信装置。
【請求項５】
前記伝送制御情報は、Ｌ１シグナリング情報であり、
前記複数の分割ストリームごとの前記Ｌ１シグナリング情報は、前記再構成情報として、ネットワークＩＤ、Ｃ２システムＩＤ、及び、異なるＣ２システムでＰＬＰがバンドルされていることを示すＰＬＰバンドル拡張情報を少なくとも含み、
前記再構成部は、同一のネットワークであって、かつ、異なるＣ２システム内で、前記ＰＬＰバンドル拡張情報が設定された前記複数の分割ストリームから、元の前記ＢＢストリームを再構成する
請求項１に記載の受信装置。
【請求項６】
前記伝送制御情報は、ＤＶＢ−Ｃ２規格で規定されたＣｏｍｍｏｎ  ＰＬＰで伝送される、同一のネットワークにおける異なるＣ２システム間で行われるＰＬＰバンドリングに関する情報を含むＣ２システム間ＰＬＰバンドリング情報であり、
前記再構成部は、前記Ｃ２システム間ＰＬＰバンドリング情報に含まれる前記再構成情報に基づいて、前記複数の分割ストリームから、元の前記ＢＢストリームを再構成する
請求項１に記載の受信装置。
【請求項７】
受信装置の受信方法において、
前記受信装置が、
ＢＢフレームのストリームであるＢＢストリームのＢＢフレームを、複数のデータスライスに分配することで得られる複数の分割ストリームを受信する受信ステップと、
前記複数の分割ストリームから、元の前記ＢＢストリームを再構成ステップと
を含み、
前記複数の分割ストリームは、ＤＶＢ−Ｃ２規格で規定されたＰＬＰバンドリングに従い、同一のネットワークにおける異なるＣ２システムで伝送され、
前記再構成ステップの処理によって、前記複数の分割ストリームが隣接していない周波数帯域で伝送される場合、伝送制御情報に含まれる、隣接していない周波数帯域で伝送される前記複数の分割ストリームから元の前記ＢＢストリームを再構成するための再構成情報に基づいて、元の前記ＢＢストリームを再構成する
受信方法。
【請求項９】
前記伝送制御情報は、Ｌ１シグナリング情報であり、
前記複数の分割ストリームごとの前記Ｌ１シグナリング情報は、前記再構成情報として、ネットワークＩＤ、Ｃ２システムＩＤ、ＰＬＰがバンドルされていることを示すＰＬＰバンドル情報、及び、ＰＬＰ  ＩＤを少なくとも含み、
前記再構成ステップの処理によって、同一のネットワークであって、かつ、異なるＣ２システム内で、同一のＰＬＰ  ＩＤを有する前記複数の分割ストリームから、元の前記ＢＢストリームを再構成する
請求項７に記載の受信方法。
【請求項１０】
前記伝送制御情報は、Ｌ１シグナリング情報であり、
前記複数の分割ストリームごとの前記Ｌ１シグナリング情報は、前記再構成情報として、ネットワークＩＤ、Ｃ２システムＩＤ、ＰＬＰがバンドルされていることを示すＰＬＰバンドル情報、及び、ＰＬＰ  ＩＤを少なくとも含み、
前記再構成ステップの処理によって、同一のネットワークであって、かつ、異なるＣ２システム内で、特定のＰＬＰ  ＩＤを有する前記複数の分割ストリームから、元の前記ＢＢストリームを再構成する
請求項７に記載の受信方法。
【請求項１１】
前記伝送制御情報は、Ｌ１シグナリング情報であり、
前記複数の分割ストリームごとの前記Ｌ１シグナリング情報は、前記再構成情報として、ネットワークＩＤ、Ｃ２システムＩＤ、及び、異なるＣ２システムでＰＬＰがバンドルされていることを示すＰＬＰバンドル拡張情報を少なくとも含み、
前記再構成ステップの処理によって、同一のネットワークであって、かつ、異なるＣ２システム内で、前記ＰＬＰバンドル拡張情報が設定された前記複数の分割ストリームから、元の前記ＢＢストリームを再構成する
請求項７に記載の受信方法。
【請求項１２】
前記伝送制御情報は、ＤＶＢ−Ｃ２規格で規定されたＣｏｍｍｏｎ  ＰＬＰで伝送される、同一のネットワークにおける異なるＣ２システム間で行われるＰＬＰバンドリングに関する情報を含むＣ２システム間ＰＬＰバンドリング情報であり、
前記再構成ステップの処理によって、前記Ｃ２システム間ＰＬＰバンドリング情報に含まれる前記再構成情報に基づいて、前記複数の分割ストリームから、元の前記ＢＢストリームを再構成する
請求項７に記載の受信方法。
【請求項１３】
ＢＢフレームのストリームであるＢＢストリームのＢＢフレームを、複数のデータスライスに分配することで得られる複数の分割ストリームが、隣接していない周波数帯域で伝送される場合に、隣接していない周波数帯域で伝送される前記複数の分割ストリームから元の前記ＢＢストリームを再構成するための再構成情報を含む伝送制御情報を生成する生成部と、
前記複数の分割ストリームとともに、前記伝送制御情報を送信する送信部と
を備え、
前記複数の分割ストリームは、ＤＶＢ−Ｃ２規格で規定されたＰＬＰバンドリングに従い、同一のネットワークにおける異なるＣ２システムで伝送される
送信装置。
【請求項１５】
前記伝送制御情報は、Ｌ１シグナリング情報であり、
前記複数の分割ストリームごとの前記Ｌ１シグナリング情報は、前記再構成情報として、ネットワークＩＤ、Ｃ２システムＩＤ、及び、異なるＣ２システムでＰＬＰがバンドルされていることを示すＰＬＰバンドル拡張情報を少なくとも含んでいる
請求項１３に記載の送信装置。
【請求項１６】
前記伝送制御情報は、ＤＶＢ−Ｃ２規格で規定されたＣｏｍｍｏｎ  ＰＬＰで伝送される、同一のネットワークにおける異なるＣ２システム間で行われるＰＬＰバンドリングに関する情報を含むＣ２システム間ＰＬＰバンドリング情報であり、
前記Ｃ２システム間ＰＬＰバンドリング情報は、前記再構成情報を含んでいる
請求項１３に記載の送信装置。
【請求項１７】
送信装置の送信方法において、
前記送信装置が、
ＢＢフレームのストリームであるＢＢストリームのＢＢフレームを、複数のデータスライスに分配することで得られる複数の分割ストリームが、隣接していない周波数帯域で伝送される場合に、隣接していない周波数帯域で伝送される前記複数の分割ストリームから元の前記ＢＢストリームを再構成するための再構成情報を含む伝送制御情報を生成する生成ステップと、
前記複数の分割ストリームとともに、前記伝送制御情報を送信する送信ステップと
を含み、
前記複数の分割ストリームは、ＤＶＢ−Ｃ２規格で規定されたＰＬＰバンドリングに従い、同一のネットワークにおける異なるＣ２システムで伝送される
送信方法。
【請求項１９】
前記伝送制御情報は、Ｌ１シグナリング情報であり、
前記複数の分割ストリームごとの前記Ｌ１シグナリング情報は、前記再構成情報として、ネットワークＩＤ、Ｃ２システムＩＤ、及び、異なるＣ２システムでＰＬＰがバンドルされていることを示すＰＬＰバンドル拡張情報を少なくとも含んでいる
請求項１７に記載の送信方法。
【請求項２０】
前記伝送制御情報は、ＤＶＢ−Ｃ２規格で規定されたＣｏｍｍｏｎ  ＰＬＰで伝送される、同一のネットワークにおける異なるＣ２システム間で行われるＰＬＰバンドリングに関する情報を含むＣ２システム間ＰＬＰバンドリング情報であり、
前記Ｃ２システム間ＰＬＰバンドリング情報は、前記再構成情報を含んでいる
請求項１７に記載の送信方法。
【発明の詳細な説明】
【技術分野】
【０００１】
本技術は、受信装置、受信方法、送信装置、及び、送信方法に関し、特に、チャネルボンディングにおいて、周波数帯域を有効に活用して、高伝送レートを実現することができるようにした受信装置、受信方法、送信装置、及び、送信方法に関する。
【背景技術】
【０００２】
デジタル放送において、高データレートのストリームを、複数（チャネル）の分割ストリームに分割して伝送し、受信側において、複数の分割ストリームを、元のデータレートのストリームに再構成するチャネルボンディング（Channel Bonding）が知られている。DVB-C2（Digital Video Broadcasting - Cable second generation）規格では、チャネルボンディングの１つとして、PLPバンドリング（PLP(Physical Layer Pipe) bundling）が規定されている（例えば、非特許文献１参照）。
【先行技術文献】
【非特許文献】
【０００３】
【非特許文献１】DVB-C.2 :ETSI EN 302 769 V1.2.1 (2011-04)
【発明の概要】
【発明が解決しようとする課題】
【０００４】
ところで、PLPバンドリングを利用することで、広帯域伝送が可能となるが、PLPバンドリングは同一のC2システム内で行われることが想定されている。そのため、隣接する周波数帯域が空いていないと、十分な周波数帯域を確保することができず、異なるC2システムであっても、任意の周波数帯域が空いている場合には、その周波数帯域を有効に活用できるようにしたいという要請があった。【０００５】
本技術はこのような状況に鑑みてなされたものであり、PLPバンドリング等のチャネルボンディングにおいて、周波数帯域を有効に活用して、高伝送レートを実現することができるようにするものである。
【課題を解決するための手段】
【０００６】
本技術の第１の側面の受信装置は、BB（BaseBand）フレームのストリームであるBBストリームのBBフレームを、複数のデータスライスに分配することで得られる複数の分割ストリームを受信する受信部と、前記複数の分割ストリームから、元の前記BBストリームを再構成する再構成部とを備え、前記再構成部は、前記複数の分割ストリームが隣接していない周波数帯域で伝送される場合、伝送制御情報に含まれる、隣接していない周波数帯域で伝送される前記複数の分割ストリームから元の前記BBストリームを再構成するための再構成情報に基づいて、元の前記BBストリームを再構成する受信装置である。【０００７】
本技術の第１の側面の受信装置は、独立した装置であってもよいし、１つの装置を構成している内部ブロックであってもよい。また、本技術の第１の側面の受信方法は、上述した本技術の第１の側面の受信装置に対応する受信方法である。【０００８】
本技術の第１の側面の受信装置、及び、受信方法においては、BBフレームのストリームであるBBストリームのBBフレームを、複数のデータスライスに分配することで得られる複数の分割ストリームが受信され、前記複数の分割ストリームが隣接していない周波数帯域で伝送される場合、伝送制御情報に含まれる、隣接していない周波数帯域で伝送される前記複数の分割ストリームから元の前記BBストリームを再構成するための再構成情報に基づいて、前記複数の分割ストリームから、元の前記BBストリームが再構成される。【０００９】
本技術の第２の側面の送信装置は、BBフレームのストリームであるBBストリームのBBフレームを、複数のデータスライスに分配することで得られる複数の分割ストリームが、隣接していない周波数帯域で伝送される場合に、隣接していない周波数帯域で伝送される前記複数の分割ストリームから元の前記BBストリームを再構成するための再構成情報を含む伝送制御情報を生成する生成部と、前記複数の分割ストリームとともに、前記伝送制御情報を送信する送信部とを備える送信装置である。【００１０】
本技術の第２の側面の送信装置は、独立した装置であってもよいし、１つの装置を構成している内部ブロックであってもよい。本技術の第２の側面の送信方法は、上述した本技術の第２の側面の送信装置に対応する送信方法である。【００１１】
本技術の第２の側面の送信装置、及び、送信方法においては、BBフレームのストリームであるBBストリームのBBフレームを、複数のデータスライスに分配することで得られる複数の分割ストリームが、隣接していない周波数帯域で伝送される場合に、隣接していない周波数帯域で伝送される前記複数の分割ストリームから元の前記BBストリームを再構成するための再構成情報を含む伝送制御情報が生成され、前記複数の分割ストリームとともに、前記伝送制御情報が送信される。
【発明の効果】
【００１２】
本技術の第１の側面、及び、第２の側面によれば、チャネルボンディングにおいて、周波数帯域を有効に活用して、高伝送レートを実現することができる。【００１３】
なお、ここに記載された効果は必ずしも限定されるものではなく、本開示中に記載されたいずれかの効果であってもよい。
【図面の簡単な説明】
【００１４】
【図１】本技術を適用した伝送システムの一実施の形態の構成を示す図である。
【図２】PLPバンドリングの概要を説明する図である。
【図３】送信装置の構成例を示す図である。
【図４】受信装置の構成例を示す図である。
【図５】現行のDVB-C2規格（J.382方式）に対応したPLPバンドリングを説明する図である。
【図６】DVB-C2規格（J.382方式）における広帯域伝送を説明する図である。
【図７】同一のネットワークであって、異なるC2システムでのPLPバンドリングを説明する図である。
【図８】運用例１ａを説明する図である。
【図９】運用例１ａで用いられるL1シグナリング情報のデータフィールドを示す図である。
【図１０】送信装置における制御部の機能的な構成例を示す図である。
【図１１】受信装置における制御部の機能的な構成例を示す図である。
【図１２】送信処理を説明するフローチャートである。
【図１３】運用例１ａに対応したPLPバンドリング送信処理を説明するフローチャートである。
【図１４】受信処理を説明するフローチャートである。
【図１５】運用例１ａに対応したPLPバンドリング受信処理を説明するフローチャートである。
【図１６】運用例１ｂを説明する図である。
【図１７】運用例１ｂで用いられるL1シグナリング情報のデータフィールドを示す図である。
【図１８】運用例１ｂに対応したPLPバンドリング送信処理を説明するフローチャートである。
【図１９】運用例１ｂに対応したPLPバンドリング受信処理を説明するフローチャートである。
【図２０】運用例１ｃを説明する図である。
【図２１】運用例１ｃで用いられるL1シグナリング情報のデータフィールドを示す図である。
【図２２】運用例１ｃに対応したPLPバンドリング送信処理を説明するフローチャートである。
【図２３】運用例１ｃに対応したPLPバンドリング受信処理を説明するフローチャートである。
【図２４】C2システム間PLPバンドリング情報の構成例を示す図である。
【図２５】C2 delivery system descriptorの構成を示す図である。
【図２６】運用例２で用いられるL1シグナリング情報のデータフィールドを示す図である。
【図２７】運用例２に対応したPLPバンドリング送信処理を説明するフローチャートである。
【図２８】運用例２に対応したPLPバンドリング受信処理を説明するフローチャートである。
【図２９】コンピュータの構成例を示す図である。
【発明を実施するための形態】
【００１５】
以下、図面を参照しながら本技術の実施の形態について説明する。なお、説明は以下の順序で行うものとする。
【００１６】
１．システムの構成
２．PLPバンドリングに対応した装置の構成
３．本技術を適用したPLPバンドリングの説明
（１）運用例１ａ：異なるC2システム内で同一のPLP IDのDSをPLPバンドリング
（２）運用例１ｂ：異なるC2システム内で特定のPLP IDのDSをPLPバンドリング
（３）運用例１ｃ：異なるC2システム内でPLPバンドル拡張情報が設定されたDSをPLPバンドリング
（４）運用例２：Common PLPで伝送される情報を用いて異なるC2システム間でPLPバンドリング
４．コンピュータの構成
【００１７】
＜１．システムの構成＞
【００１８】
図１は、本技術を適用した伝送システムの一実施の形態の構成を示す図である。なお、システムとは、複数の装置が論理的に集合した物をいい、各構成の装置が同一筐体中にあるか、否かは問わない。
【００１９】
図１において、伝送システム１は、送信装置１０と受信装置２０から構成される。
【００２０】
送信装置１０は、例えば、テレビ番組等の送信（デジタル放送やデータ伝送）を行う。すなわち、送信装置１０は、例えばテレビ番組としてのビデオデータやオーディオデータなどの送信の対象である対象データのストリームを、デジタル放送信号として、例えばケーブルテレビジョン網（有線回線）である伝送路３０を介して送信（伝送）する。
【００２１】
受信装置２０は、送信装置１０から伝送路３０を介して送信されてくるデジタル放送信号を受信し、元のストリームに復元して出力する。例えば、受信装置２０は、テレビ番組としてのビデオデータやオーディオデータを出力する。
【００２２】
なお、図１の伝送システム１は、DVB-C2規格に準拠したデータ伝送の他、DVB-T2規格やDVB-S2規格、ATSC（Advanced Television Systems Committee standards）、ISDB（Integrated Services Digital Broadcasting）等の規格に準拠したデータ伝送、その他のデータ伝送に適用することができる。また、伝送路３０としては、ケーブルテレビジョン網の他、衛星回線や地上波等を採用することができる。
【００２３】
＜２．PLPバンドリングに対応した装置の構成＞
【００２４】
（PLPバンドリングの概要）
図２は、PLPバンドリングの概要を説明する図である。
【００２５】
DVB-C2規格では、チャネルボンディング（Channel Bonding）の１つとして、PLPバンドリング（PLP bundling）が規定されている。チャネルボンディングでは、高データレートのストリームを、複数（チャネル）の分割ストリームに分割して伝送し、受信側において、複数の分割ストリームを、元のデータレートのストリームに再構成する。
【００２６】
近年、いわゆる８Ｋ等の高解像度の画像を送信するデジタル放送が要請されているが、８Ｋの解像度の画像については、HEVC（High Efficiency Video Coding）方式で符号化を行った場合に、その符号化の結果得られる高データレートのデータの伝送に必要なスループットは、100Mbps程度になる。このような高データレートのデータに相当する図２のPLP（Physical Layer Pipe）については、１のデータスライス（DS：Data Slice）で伝送することができない。
【００２７】
そこで、伝送システム１において、送信装置１０では、チャネルボンディングの１つであるPLPバンドリングにより、１のPLPとしての実データを、BBフレーム単位で分割し、複数のデータスライスで伝送することができるようになっている。図２においては、PLPが、データスライス２乃至４に分割されて、受信装置２０に伝送されている。受信装置２０では、データスライス２乃至４が、チューナ１乃至３により受信されて処理された後に、PLPデコーダにより処理されることで、１のPLPとしての実データが再構成されることになる。
【００２８】
なお、DVB-C2規格では、OFDM（Orthogonal Frequency Division Multiplexing）信号を伝送する伝送帯域（周波数帯域）が、例えば（約）6MHz単位に区切られている。いま、6MHz単位に区切られた１つの伝送帯域を、単位伝送帯域ということとすると、受信装置２０では、所望のテレビ番組の実データのPLPを含むデータスライスが伝送される単位伝送帯域のOFDM信号が受信され、そのOFDM信号に含まれるデータスライスが処理されることになる。
【００２９】
また、PLPは、データスライスに含まれる論理的なチャネル（で伝送されるデータ）であり、PLPには、PLPを識別するためのユニークなPLP IDが付与される。例えば、あるPLP IDのPLPは、あるテレビ番組の実データに相当する。さらに、以下の説明では、BBフレームのストリームを、「BBストリーム」と称し、このBBストリームを分割して得られる複数のストリームを、「分割ストリーム」と称する。すなわち、分割ストリームは、BBフレームから構成されている。
【００３０】
（送信装置の構成）
図３は、図１の送信装置１０の構成例を示す図である。
【００３１】
送信装置１０は、チャネルボンディングの１つであるPLPバンドリングにより、１のPLP（同一のPLP IDが付与されるPLP）としての実データを、BBフレーム単位で分割し、複数のデータスライスで伝送できるようになっている。
【００３２】
図３において、送信装置１０は、制御部１１１、BBフレーム生成部１１２、BBフレーム分配部１１３、データスライス処理部１１４−１乃至１１４−Ｎ（Ｎは１以上の整数）、フレーム構成部１１５、及び、送信部１１６から構成される。
【００３３】
制御部１１１は、送信装置１０の各部の動作を制御する。
【００３４】
BBフレーム生成部１１２には、同一のPLP IDのPLPとしての実データ（例えばTS（Transport Stream）等の対象データ）が供給される。BBフレーム生成部１１２は、そこに供給される実データに、BBヘッダを付加することなどによって、BBフレームを構成する。なお、BBヘッダには、ISSY（Input Stream Synchronizer）として、ISCR（Input Stream Time Reference）が含まれる。BBフレーム生成部１１２は、BBフレームから構成されるBBストリームを、BBフレーム分配部１１３に供給する。
【００３５】
BBフレーム分配部１１３は、BBフレーム生成部１１２から供給されるBBストリームを、分割の対象として、そのBBストリームを構成する各BBフレームを、複数のデータスライスのうち、１のデータスライスに分配することを繰り返すことで、BBストリームを、BBフレーム単位で、複数の分割ストリームに分割する。また、BBフレーム分配部１１３は、BBストリームを分割して得られる複数の分割ストリームを、データスライス処理部１１４−１乃至１１４−Ｎのいずれかに分配する。
【００３６】
データスライス処理部１１４−１は、BBフレーム分配部１１３により分配された分割ストリームに対する処理を行う。データスライス処理部１１４−１は、PLP処理部１３１−１、データスライス構成部１３２−１、及び、時間／周波数インターリーバ１３３−１から構成される。
【００３７】
PLP処理部１３１−１は、BBフレーム分配部１１３により分配されてデータスライス処理部１１４−１に供給された分割フレームを構成するBBフレームを対象として誤り訂正符号化を行う。また、PLP処理部１３１−１は、誤り訂正符号化の結果得られるFECフレームを、シンボルとしての所定のビット数単位で、所定のコンスタレーション上の信号点にマッピングして、そのマッピング結果としてのシンボルを、FECフレーム単位で抽出することで得られるFECフレームに対して、FECフレームヘッダを付加することで、データスライスパケットを構成する。
【００３８】
データスライス構成部１３２−１には、PLP処理部１３１−１から１個以上のデータスライスパケットが供給される。データスライス構成部１３２−１は、PLP処理部１３１−１から供給される１個以上のデータスライスパケットから、データスライスを構成し、時間／周波数インターリーバ１３３−１に供給する。
【００３９】
時間／周波数インターリーバ１３３−１は、データスライス構成部１３２−１から供給されるデータスライスを、時間方向と周波数方向にインターリーブし、そのインターリーブ後のデータスライスを、フレーム構成部１１５に供給する。
【００４０】
データスライス処理部１１４−２乃至１１４−Ｎは、図示は省略しているが、データスライス処理部１１４−１と同様に、PLP処理部１３１−２乃至１３１−Ｎ、データスライス構成部１３２−２乃至１３２−Ｎ、及び、時間／周波数インターリーバ１３３−２乃至１３３−Ｎから構成されている。データスライス処理部１１４−２乃至１１４−Ｎにおいては、データスライス処理部１１４−１と同様に、BBフレーム分配部１１３により分配された分割ストリームに対する処理が行われ、それにより得られるデータスライスが、フレーム構成部１１５に供給される。
【００４１】
なお、以下の説明では、データスライス処理部１１４−１乃至１１４−Ｎを、特に区別する必要がない場合には、データスライス処理部１１４と称して説明する。
【００４２】
フレーム構成部１１５には、データスライス処理部１１４−１乃至１１４−Ｎ（の時間／周波数インターリーバ１３３−１乃至１３３−Ｎ）から１個以上のデータスライスが供給される。フレーム構成部１１５は、データスライス処理部１１４−１乃至１１４−Ｎからの１個以上のデータスライスを含むC2フレームを構成し、送信部１１６に供給する。
【００４３】
送信部１１６は、フレーム構成部１１５から供給されるC2フレームのIFFT(Inverse Fast Fourier Transform)を行い、その結果得られるOFDM信号を、DA変換(Digital to Analog Conversion)する。そして、送信部１１６は、デジタル信号からアナログ信号に変換されたOFDM信号を、RF(Radio Frequency)信号に変調し、デジタル放送信号として、伝送路３０を介して送信する。
【００４４】
なお、図３の送信装置１０の構成では、説明の都合上、PLPバンドリングに関係のないブロックについては、適宜、図示を省略してある。また、送信装置１０における制御部１１１の詳細な構成は、図１０を参照して後述する。
【００４５】
（受信装置の構成）
図４は、図１の受信装置２０の構成例を示す図である。
【００４６】
受信装置２０は、PLPバンドリングにより、１のPLPが複数のデータスライスに分配されて送信（伝送）されてくる実データを再構成（復元）することができるようになっている。
【００４７】
図４において、受信装置２０は、制御部２１１、受信部２１２−１乃至２１２−Ｎ（Ｎは１以上の整数）、データスライス処理部２１３−１乃至２１３−Ｎ、バッファ２１４−１乃至２１４−Ｎ、BBフレーム選択部２１５、及び、BBフレーム処理部２１６から構成される。
【００４８】
制御部２１１は、受信装置２０の各部の動作を制御する。
【００４９】
受信部２１２−１は、送信装置１０から、デジタル放送信号として、伝送路３０を介して送信されてくる所定の帯域のRF信号を受信して復調し、その結果得られる復調信号（OFDM信号）を、AD変換(Analog to Digital Conversion)する。そして、受信部２１２−１は、アナログ信号からデジタル信号に変換された復調信号のFFT(Fast Fourier Transform)を行い、その結果得られるデータスライスを、データスライス処理部２１３−１に供給する。
【００５０】
データスライス処理部２１３−１は、受信部２１２−１から供給されるデータスライスに対する処理を行う。データスライス処理部２１３−１は、時間／周波数デインターリーバ２３１−１、データスライス分解部２３２−１、及び、PLP処理部２３３−１から構成される。
【００５１】
時間／周波数デインターリーバ２３１−１は、受信部２１２−１から供給されるデータスライスを、時間方向と周波数方向に、デインターリーブし、そのデインターリーブ後のデータスライスを、データスライス分解部２３２−１に供給する。
【００５２】
データスライス分解部２３２−１は、時間／周波数デインターリーバ２３１−１から供給されるデータスライスを、データスライスパケットに分解し、PLP処理部２３３−１に供給する。
【００５３】
PLP処理部２３３−１は、データスライス分解部２３２−１から供給されるデータスライスパケットから、FECフレームヘッダを除去することで、データスライスパケットを、FECフレームに分解する。なお、除去されたFECフレームヘッダに基づいて、FECフレームの変調方式や符号長等が認識され、後段のデマッピングや誤り訂正の復号等が行われる。
【００５４】
また、PLP処理部２３３−１は、FECフレーム（のシンボル）のデマッピングを行い、デマッピング後のFECフレームに対し、誤り訂正符号の復号を行うことで、BBフレームで構成される分割ストリームを復元する。データスライス処理部２１３−１により、データスライスから復元された分割ストリーム（を構成するBBフレーム）は、バッファ２１４−１に供給される。
【００５５】
バッファ２１４−１は、例えば、FIFO（First In First Out）メモリで構成され、データスライス処理部２１３−１（のPLP処理部２３３−１）から供給される分割ストリーム（を構成するBBフレーム）を順次記憶する。
【００５６】
データスライス処理部２１３−２乃至２１３−Ｎは、図示は省略しているが、データスライス処理部２１３−１と同様に、時間／周波数デインターリーバ２３１−２乃至２３１−Ｎ、データスライス分解部２３２−２乃至２３２−Ｎ、及び、PLP処理部２３３−２乃至２３３−Ｎから構成される。データスライス処理部２１３−２乃至２１３−Ｎにおいては、データスライス処理部２１３−１と同様に、受信部２１２−２乃至２１２−Ｎから供給されるデータスライスに対する処理が行われ、それにより得られる分割ストリーム（を構成するBBフレーム）が、バッファ２１４−２乃至２１４−Ｎに順次記憶される。
【００５７】
なお、以下の説明では、データスライス処理部２１３−１乃至２１３−Ｎを、特に区別する必要がない場合には、データスライス処理部２１３と称して説明する。さらに、バッファ２１４−１乃至２１４−Ｎを、特に区別する必要がない場合には、バッファ２１４と称して説明する。
【００５８】
BBフレーム選択部２１５は、バッファ２１４−１乃至２１４−Ｎに記憶された複数の分割ストリームを構成するBBフレームに付加されたBBヘッダに含まれるISSY（ISCR）に基づいて、元のBBストリームを構成するBBフレームの並び順に、バッファ２１４−１乃至２１４−ＮからBBフレームを読み出して、BBフレーム処理部２１６に供給する。
【００５９】
BBフレーム処理部２１６は、BBフレーム選択部２１５から供給される順に、BBフレームを並び替えることで、元のBBストリームを再構成（復元）する。また、BBフレーム処理部２１６は、元のBBストリームを構成するBBフレームを分解し、実データ（例えばTS等の対象データ）を復元して出力する。
【００６０】
なお、図４の受信装置２０の構成では、説明の都合上、PLPバンドリングに関係のないブロックについては、適宜、図示を省略してある。また、受信装置２０における制御部２１１の詳細な構成は、図１１を参照して後述する。
【００６１】
また、図４の受信装置２０の構成では、データスライス処理部２１３に対応して複数の受信部２１２を設けた構成を説明したが、広帯域のRF信号を受信可能な受信部２１２を１つだけ設けて、C2フレームに含まれるデータスライスを分解することで、分解されたデータスライスが、データスライス処理部２１３−１乃至２１３−Ｎに供給されるようにしてもよい。
【００６２】
＜３．本技術を適用したPLPバンドリングの説明＞
【００６３】
（現行のDVB-C2規格）
DVB-C2規格（J.382方式）においては、チャネルボンディングの１つであるPLPバンドリングを利用することで、広帯域伝送を実現している。図５は、現行のDVB-C2規格（J.382方式）に対応したPLPバンドリングを説明する図である。なお、J.382方式は、次世代ケーブルテレビ伝送方式の１つの方式である。
【００６４】
図５においては、隣接する5.71MHzの帯域幅からなるチャネル（周波数帯域）によって、１のPLP（PLP1）から分割されたデータスライス０（DS0）とデータスライス１（DS1）が伝送されている。なお、ここでは、12MHzの帯域幅のうち、隣接する5.71MHzの帯域幅が利用されている。
【００６５】
このとき、送信装置１０から伝送されるL1シグナリング情報には、"1"であるネットワークIDと、"1"であるC2システムIDと、"1"であるPLPバンドル情報がそれぞれ設定されている。なお、詳細は後述するが、L1シグナリング情報は、OFDMパラメータ、データスライス、PLP、及び、ノッチバンドに関連する情報を含む伝送制御情報である。
【００６６】
ここで、ネットワークID（NETWORK_ID）は、例えば放送事業者ごとのネットワークを一意に識別するIDである。C2システムID（C2_SYSTEM_ID）は、ネットワークIDにより識別されるネットワーク内のC2システムを一意に識別するIDである。さらに、PLPバンドル情報（PLP_BUNDLED）は、C2システム内で、関連するPLPとバンドルされるかどうかを示す情報である。
【００６７】
受信装置２０は、L1シグナリング情報に基づいて、同一のネットワークにおける同一のC2システム内で、PLPバンドル情報が設定された同一のPLP IDを有するデータスライス０とデータスライス１を処理することで、１のPLP（PLP1）を再構成することができる。
【００６８】
このように、現行のDVB-C2規格（J.382方式）においては、チャネルボンディングの１つであるPLPバンドリングを利用することで、広帯域伝送を実現しているが、PLPバンドリングは、同一のネットワークにおいて、同一のC2システム内で行われることが想定されているため、隣接する周波数帯域が空いていないと、十分な周波数帯域を確保することができない。
【００６９】
また、図６に示すように、DVB-C2規格（J.382方式）では、ノッチ（Notch）と称される特定の周波数帯域（最高10MHzの帯域幅）ではデータを伝送せず、送信電力をゼロにして信号を伝送することが規格化されている。そのため、図６において、隣接していない5.71MHzの帯域幅からなるチャネル（周波数帯域）によっては、同一のネットワークにおける同一のC2システム内で、１のPLP（PLP1）から分割されたデータスライス０（DS0）とデータスライス１（DS1）をバンドリングすることはできない。
【００７０】
このようなことから、図７に示すような、隣接していないチャネル（周波数帯域）であっても、任意の周波数帯域が空いている場合には、その周波数帯域を有効に活用して、１のPLP（PLP1）から分割されたデータスライス０（DS0）とデータスライス１（DS1）をバンドリングできるようにしたいという要請がある。
【００７１】
そこで、本技術を適用したPLPバンドリングにおいては、同一のネットワークにおいて、異なるC2システム間であっても、複数のデータスライスでPLPバンドリングを行うことができるようにし、任意の周波数帯域が空いている場合には、その周波数帯域を有効に活用して、高伝送レートを実現できるようにする。これにより、例えば、８Ｋ解像度の画像を送信するデジタル放送において、100Mbps以上の伝送レートを確保することができるようになる。
【００７２】
以下、本技術を適用したPLPバンドリングについて、運用例１ａ乃至１ｃと、運用例２の４つの運用形態を例示しながら、具体的に説明する。
【００７３】
（１）運用例１ａ
【００７４】
（運用例１ａの概要）
図８は、異なるC2システム間でPLPバンドリングを行う運用例１ａを説明する図である。この運用例１ａでは、同一のネットワークであって、かつ、異なるC2システム内で、同一のPLP IDを有する複数のデータスライスがバンドリングされているとみなすようにする。
【００７５】
なお、図８において、左側の周波数帯域が、現行のDVB-C2規格（J.382方式）に対応したPLPバンドリングの対象となるチャネル等を表し、右側の周波数帯域が、本技術を適用した運用例１ａに対応したPLPバンドリングの対象となるチャネル等を表している。また、図８において、PLP[X]は、PLP ID=Xを意味するものとし、この関係は、後述する図１６や図２０でも同様とされる。
【００７６】
図８の左側の周波数帯域で示すように、現行のDVB-C2規格（J.382方式）においては、隣接する5.71MHzの帯域幅からなるチャネル（周波数帯域）により、１のPLP（PLP1）から分割されたデータスライス０（DS0）とデータスライス１（DS1）が伝送されている。
【００７７】
このとき、L1シグナリング情報には、"1"であるネットワークIDと、"1"であるC2システムIDと、"1"であるPLPバンドル情報がそれぞれ設定されている。受信装置２０は、L1シグナリング情報に基づいて、同一のネットワークにおける同一のC2システム内で、PLPバンドル情報が設定された同一のPLP IDを有するデータスライス０とデータスライス１を処理することで、１のPLP（PLP1）を再構成することができる。
【００７８】
一方、図８の右側の周波数帯域で示すように、本技術を適用した運用例１ａにおいては、隣接していない5.71MHzの帯域幅からなる一方のチャネル（周波数帯域）により１のPLP（PLP1）から分割されたデータスライス０（DS0）が伝送され、他方のチャネル（周波数帯域）により１のPLP（PLP1）から分割されたデータスライス１（DS1）が伝送されている。
【００７９】
このとき、一方のチャネルのデータスライス０（DS0）に対するL1シグナリング情報には、"1"であるネットワークIDと、"1"であるC2システムIDと、"1"であるPLPバンドル情報がそれぞれ設定されている。また、他方のチャネルのデータスライス１（DS1）に対するL1シグナリング情報には、"1"であるネットワークIDと、"2"であるC2システムIDと、"1"であるPLPバンドル情報がそれぞれ設定されている。そして、データスライス０（DS0）とデータスライス１（DS1）には、"1"である同一のPLP IDが割り当てられているため、それらのデータスライス（DS0，DS1）は、バンドリングされていることになる。
【００８０】
受信装置２０においては、チャネルスキャン時に、同一のネットワーク内の複数のC2システムを認識済みであるため、PLPバンドル情報がPLPバンドリングされていることを示している場合には、それぞれのC2システム内で、同一のPLP IDを有する複数のデータスライスがバンドリングされていると判断することができる。よって、受信装置２０は、同一のネットワークにおける異なるC2システム内で、"1"である同一のPLP IDを有するデータスライス０（DS0）とデータスライス１（DS1）がバンドリングされているとみなして処理することで、１のPLP（PLP1）を再構成することができる。
【００８１】
以上のように、運用例１ａにおいては、L1シグナリング情報を用い、同一のネットワークであって、かつ、異なるC2システム内で、同一のPLP IDを有する複数のデータスライスがバンドリングされているとみなすことで、異なるC2システム間であってもPLPバンドリングを行うことができる。その結果、任意の空いている周波数帯域を有効に活用して、高伝送レートを実現することができる。なお、高変調方式を用いた場合に、高伝送レートを実現可能な場合はあるが、その場合には、高SNR（Signal to Noise Ratio）も必要となるため、非現実的である。
【００８２】
また、運用例１ａでは、現行のDVB-C2規格（J.382方式）の内容は変更していないが、その運用を変更していることになるため、運用例１ａを採用することで、現行のDVB-C2規格（J.382方式）と同効率で、隣接していないチャネル（周波数帯域）で伝送されるデータスライスをPLPバンドリングすることができる。
【００８３】
（L1シグナリング情報の構造）
図９は、運用例１ａで用いられるL1シグナリング情報のデータフィールドを示す図である。
【００８４】
16ビットのNETWORK_IDは、現在のネットワークを一意に識別するネットワークIDを示している。16ビットのC2_SYSTEM_IDは、ネットワークIDにより識別されるネットワーク内のC2システムを一意に識別するC2システムIDを示している。運用例１ａにおいて、PLPバンドリングの対象となる複数のデータスライスには、同一のネットワークIDと、異なるC2システムIDが設定される。
【００８５】
24ビットのSTART_FREQUENCYは、現在のC2システムの開始周波数を、0Hzからの距離として示し、現在のC2システムのキャリア間隔の整数倍としてunsigned intの値をとる。16ビットのC2_BANDWIDTHは、現在のC2システムの帯域幅を示している。
【００８６】
2ビットのGUARD_INTERVALは、現在のC2フレームのガードインターバルを示している。10ビットのC2_FRAME_LENGTHは、C2フレームごとのデータシンボル数を示している。8ビットのL1_PART2_CHANGE_COUNTERは、構成が変化する場所の前にあるC2フレームの数を示している。
【００８７】
8ビットのNUM_DSLICEは、現在のC2フレーム内で伝送されるデータスライス数を示している。4ビットのNUM_NOTCHは、ノッチバンド数を示している。
【００８８】
データスライス数に応じたデータスライスループには、次のフィールドが配置される。8ビットのDSLICE_IDは、C2システム内でデータスライスを一意に識別するデータスライスIDを示している。13ビット又は14ビットのDSLICE_TUNE_POSは、データスライスのチューニング位置を、START_FREQUENCYの相対値として示している。
【００８９】
8ビット又は9ビットのDSLICE_OFFSET_LEFTは、関連するデータスライスの開始位置を、チューニング位置から左への距離として示している。8ビット又は9ビットのDSLICE_OFFSET_RIGHTは、関連するデータスライスの開始位置を、チューニング位置から右への距離として示している。2ビットのDSLICE_TI_DEPTHは、関連するデータスライス内での時間インターリーブの深さを示している。
【００９０】
1ビットのDSLICE_TYPEは、関連するデータスライスのタイプを示している。DSLICE_TYPEが"1"の場合、1ビットのFEC_HEADER_TYPEが配置される。FEC_HEADER_TYPEは、関連するデータスライス内のFECフレームヘッダのタイプを示している。
【００９１】
1ビットのDSLICE_CONST_CONFは、関連するデータスライスの構成が可変か、固定かを示している。このフィールドの値が、"1"に設定されている場合、関連するデータスライスの構成は変化しない。そうでない場合には、"0"に設定される。
【００９２】
1ビットのDSLICE_LEFT_NOTCHは、関連するデータフィールドの左に隣接するノッチバンドの存在を示している。関連するデータスライスの開始位置に隣接するノッチバンドが存在する場合、このフィールドの値が"1"に設定される。そうでない場合には、"0"に設定される。
【００９３】
8ビットのDSLICE_NUM_PLPは、関連するデータスライス内で伝送されるPLP数を示している。当該PLP数に応じたPLPループには、次のフィールドが配置される。8ビットのPLP_IDは、C2システム内でPLPを識別するPLP IDを示している。1ビットのPLP_BUNDLEDは、PLPバンドル情報であって、現在のC2システム内で、関連するPLPとバンドルされるかどうかを示す。関連するPLPがバンドルされる場合、このフィールドの値が"1"に設定される。そうでない場合には、"0"に設定される。
【００９４】
運用例１ａにおいて、PLPバンドリングの対象となる複数のデータスライスには、PLP_BUNDLED="1"と、同一のPLP_IDが設定される。
【００９５】
2ビットのPLP_TYPEは、関連するPLPのタイプを示している。5ビットのPLP_PAYLOAD_TYPEは、関連するPLPにより伝送されるペイロードデータのタイプを示している。PLP_TYPEが"00"又は"01"の場合、8ビットのPLP_GROUP_IDが配置される。PLP_GROUP_IDは、現在のPLPが、C2システム内でどのPLPグループに関連付けられているかを識別するPLPグループIDを示している。
【００９６】
DSLICE_TYPEが"0"の場合、14ビットのPLP_START，1ビットのPLP_FEC_TYPE，3ビットのPLP_MOD，3ビットのPLP_CODが配置される。PLP_STARTは、関連するPLPの最初の完全なXFECフレームの開始位置を、現在のC2フレーム内で示している。PLP_FEC_TYPEは、関連するPLPで使用されるFECタイプを示している。PLP_MODは、関連するPLPで使用される変調方式を示している。PLP_CODは、関連するPLPで使用される符号化率を示している。
【００９７】
1ビットのPSI/SI_REPROCESSINGは、PSI/SI再処理が実行されるかどうかを示している。PSI/SI_REPROCESSINGが"0"の場合、16ビットのtransport_stream_id，16ビットのoriginal_network_idが配置される。transport_stream_idは、配信システム内でこのTS（Transport Stream）を、他の多重化から識別するためのラベルとして機能するトランスポートストリームIDを示している。original_network_idは、元になる配信システムのネットワークIDを識別するためのラベルとして機能するオリジナルネットワークIDを示している。
【００９８】
なお、PLPループ内には、8ビットのRESERVED_1が配置される。RESERVED_1は、将来使用のために予約されているリザーブド領域１である。また、データスライスループ内には、8ビットのRESERVED_2が配置される。RESERVED_2は、将来使用のために予約されているリザーブド領域２である。
【００９９】
ノッチバンド数に応じたノッチループには、次のフィールドが配置される。13ビット又は14ビットのNOTCH_STARTは、関連するノッチバンドの開始位置を、START_FREQUENCYの相対値として、unsigned intとして示している。8ビット又は9ビットのNOTCH_WIDTHは、関連するノッチバンドの幅を、unsigned intとして示している。なお、ノッチループ内には、8ビットのRESERVED_3が配置される。RESERVED_3は、将来使用のために予約されているリザーブド領域３である。
【０１００】
1ビットのRESERVED_TONEは、一部のキャリアが予約されているかどうかを示している。現在のC2フレーム内に予約キャリアが存在する場合、このビットには"1"が設定される。そうでない場合には、"0"に設定される。16ビットのRESERVED_4は、将来使用のために予約されているリザーブド領域４である。
【０１０１】
次に、運用例１ａを採用した場合に、伝送システム１を構成する送信装置１０と受信装置２０により実行される処理の詳細な内容について説明する。ここでは、まず、各装置の詳細な構成を説明してから、その後、各装置で実行される処理の内容を説明する。
【０１０２】
（送信装置の制御部の機能的な構成例）
図１０は、送信装置１０における制御部１１１（図３）の機能的な構成例を示す図である。
【０１０３】
図１０において、制御部１１１は、PLPバンドリング設定部１５１、及び、伝送制御情報生成部１５２を含んで構成される。
【０１０４】
PLPバンドリング設定部１５１は、同一のネットワークにおける異なるC2システム間で行われるPLPバンドリングに関する情報を設定し、その設定内容を、伝送制御情報生成部１５２に供給する。
【０１０５】
伝送制御情報生成部１５２は、PLPバンドリング設定部１５１から供給される設定内容に基づいて、L1シグナリング情報等の伝送制御情報を生成し、フレーム構成部１１５等に供給する。これにより、例えば、フレーム構成部１１５では、C2フレームを構成するに際して、L1シグナリング情報等の伝送制御情報を付加することができる。
【０１０６】
（受信装置の制御部の機能的な構成例）
図１１は、受信装置２０における制御部２１１（図４）の機能的な構成例を示す図である。
【０１０７】
図１１において、制御部２１１は、伝送制御情報取得部２５１、及び、PLPバンドリング制御部２５２を含んで構成される。
【０１０８】
伝送制御情報取得部２５１は、受信部２１２においてチャネルスキャンが行われることで得られるL1シグナリング情報等の伝送制御情報を取得し、PLPバンドリング制御部２５２に供給する。
【０１０９】
PLPバンドリング制御部２５２は、伝送制御情報取得部２５１から供給される、L1シグナリング情報等の伝送制御情報に基づいて、データスライス処理部２１３乃至BBフレーム処理部２１６等のPLPバンドリングに関する処理を行う各部の動作を制御する。
【０１１０】
（送信処理）
次に、図１２のフローチャートを参照して、送信装置１０により実行される運用例１ａに対応した送信処理の流れを説明する。
【０１１１】
ステップＳ１０１において、制御部１１１は、PLPバンドリング送信処理を行う。このPLPバンドリング送信処理では、L1シグナリング情報等の伝送制御情報が、PLPバンドリングの運用形態（例えば、運用例１ａ）に応じて生成される。なお、PLPバンドリング送信処理の詳細な内容は、図１３のフローチャートを参照して後述する。
【０１１２】
ステップＳ１０２において、BBフレーム生成部１１２乃至送信部１１６は、制御部１１１からの制御に従い、送信処理を行う。この送信処理では、１のPLPを分割して得られる複数のデータスライスとともに、L1シグナリング情報等の伝送制御情報が、デジタル放送信号として、伝送路３０を介して送信される。なお、ステップＳ１０２の処理が完了すると、図１２の送信処理は終了する。
【０１１３】
以上、送信処理について説明した。
【０１１４】
（PLPバンドリング送信処理）
ここで、図１３のフローチャートを参照して、図１２のステップＳ１０１の処理における、運用例１ａに対応したPLPバンドリング送信処理の詳細な内容を説明する。
【０１１５】
ステップＳ１１１においては、PLPバンドリングの運用形態が、運用例１ａであるかどうかが判定される。ステップＳ１１１において、運用例１ａであると判定された場合、処理は、ステップＳ１１２に進められる。
【０１１６】
ステップＳ１１２において、PLPバンドリング設定部１５１は、PLPバンドリングの対象のデータスライスに対して、同一のネットワークID、異なるC2システムID、PLPバンドリングされていることを示すPLPバンドル情報、及び、同一のPLP IDを設定する。
【０１１７】
ここでは、例えば、PLPバンドリングの対象がデータスライス０（DS0）とデータスライス１（DS1）である場合に、一方のデータスライス０に、"1"であるネットワークIDと、"1"であるC2システムIDと、"1"であるPLPバンドル情報が設定され、他方のデータスライス１に、"1"であるネットワークIDと、"2"であるC2システムIDと、"1"であるPLPバンドル情報が設定されるようにする。また、データスライス０とデータスライス１には、例えば、"1"である同一のPLP IDが設定されるようにする。
【０１１８】
ステップＳ１１３において、伝送制御情報生成部１５２は、ステップＳ１１２の処理の設定内容に基づいて、L1シグナリング情報を生成する。
【０１１９】
一方、ステップＳ１１１において、運用例１ａではないと判定された場合、処理は、ステップＳ１１４に進められる。ステップＳ１１４において、PLPバンドリング設定部１５１は、例えば、同一のネットワークであって、同一のC2システムでデータスライスを伝送する通常のPLPバンドリングの設定処理等を行う。これにより、通常のPLPバンドリングに対応したL1シグナリング情報が生成される（Ｓ１１３）。
【０１２０】
ステップＳ１１３の処理が終了すると、処理は、図１２のステップＳ１０１の処理に戻り、それ以降の処理が実行される。
【０１２１】
以上、運用例１ａに対応したPLPバンドリング送信処理を説明した。
【０１２２】
（受信処理）
次に、図１４のフローチャートを参照して、受信装置２０により実行される運用例１ａに対応した受信処理の流れを説明する。
【０１２３】
ステップＳ２０１において、受信部２１２は、制御部１１１からの制御に従い、受信処理を行う。この受信処理では、送信装置１０から伝送路３０を介してデジタル放送信号が受信され、例えばチャネルスキャン等の処理が行われる。
【０１２４】
ステップＳ２０２において、データスライス処理部２１３乃至BBフレーム処理部２１６は、制御部２１１からの制御に従い、PLPバンドリング受信処理を行う。このPLPバンドリング受信処理では、L1シグナリング情報等の伝送制御情報等に基づいて、PLPバンドリングの運用形態（例えば、運用例１ａ）に応じた処理が行われ、複数のデータスライスから、１のPLPが再構成される。なお、PLPバンドリング受信処理の詳細な内容は、図１５のフローチャートを参照して後述する。ステップＳ２０２の処理が完了すると、図１４の受信処理は終了する。
【０１２５】
以上、受信処理について説明した。
【０１２６】
（PLPバンドリング受信処理）
ここで、図１５のフローチャートを参照して、図１４のステップＳ２０２の処理における、運用例１ａに対応したPLPバンドリング受信処理の詳細な内容を説明する。
【０１２７】
ステップＳ２１１において、伝送制御情報取得部２５１は、受信部２１２においてチャネルスキャンが行われることで得られるL1シグナリング情報を取得する。なお、ここでは、全周波数帯域のチャネルスキャンが行われ、チャネルごとにL1シグナリング情報が取得される。
【０１２８】
ステップＳ２１２において、PLPバンドリング制御部２５２は、ステップＳ２１１の処理で取得されたL1シグナリング情報に基づいて、同一のネットワークID、異なるC2システムID、及び、PLPバンドリングされていることを示すPLPバンドル情報（PLP_BUNDLED="1"）が設定された、同一のPLP IDを有する複数のデータスライスが存在するかどうかを判定する。
【０１２９】
ステップＳ２１２の条件を満たした複数のデータスライスが存在すると判定された場合、処理は、ステップＳ２１３に進められる。ステップＳ２１３において、PLPバンドリング制御部２５２は、同一のネットワークであって、かつ、異なるC2システム内で、同一のPLP IDを有する複数のデータスライスがバンドリングされているとみなして、データスライス処理部２１３乃至BBフレーム処理部２１６を制御して、PLPバンドリング処理を行う。
【０１３０】
ここでは、例えば、データスライス０に、"1"であるネットワークIDと、"1"であるC2システムIDと、"1"であるPLPバンドル情報が設定され、データスライス１に、"1"であるネットワークIDと、"2"であるC2システムIDと、"1"であるPLPバンドル情報が設定されている場合に、データスライス０とデータスライス１が、例えば"1"である同一のPLP IDを有しているとき、データスライス０とデータスライス１がPLPバンドリングの対象であるとみなされて、１のPLP（PLP1）が再構成される。
【０１３１】
一方、ステップＳ２１２の条件を満たした複数のデータスライスが存在しないと判定された場合、処理は、ステップＳ２１４に進められる。ステップＳ２１４において、PLPバンドリング制御部２５２は、データスライス処理部２１３乃至BBフレーム処理部２１６を制御して、例えば、同一のネットワークであって、かつ、同一のC2システムで伝送されるデータスライスに対する通常のPLPバンドリング処理等を行う。
【０１３２】
ステップＳ２１３又はステップＳ２１４の処理が終了すると、処理は、図１４のステップＳ２０２の処理に戻り、それ以降の処理が実行される。
【０１３３】
以上、運用例１ａに対応したPLPバンドリング受信処理を説明した。
【０１３４】
（２）運用例１ｂ
【０１３５】
（運用例１ｂの概要）
図１６は、異なるC2システム間でPLPバンドリングを行う運用例１ｂを説明する図である。この運用例１ｂでは、同一のネットワークであって、かつ、異なるC2システム内で、特定のPLP IDを有する複数のデータスライスがバンドリングされているとみなすようにする。
【０１３６】
なお、図１６において、左側の周波数帯域が、現行のDVB-C2規格（J.382方式）に対応したPLPバンドリングの対象となるチャネル等を表し、右側の周波数帯域が、本技術を適用した運用例１ｂに対応したPLPバンドリングの対象となるチャネル等を表している。図１６の左側の現行のDVB-C2規格（J.382方式）に対応したPLPバンドリングは、図８の説明と同様であり、その説明は繰り返しになるので省略する。
【０１３７】
一方、図１６の右側の周波数帯域で示すように、本技術を適用した運用例１ｂにおいては、隣接していない5.71MHzの帯域幅からなる一方のチャネルにより１のPLP（PLP128）から分割されたデータスライス０（DS0）が伝送され、他方のチャネルにより１のPLP（PLP128）から分割されたデータスライス１（DS1）が伝送されている。
【０１３８】
このとき、一方のチャネルのデータスライス０（DS0）に対するL1シグナリング情報には、"1"であるネットワークIDと、"1"であるC2システムIDと、"1"であるPLPバンドル情報がそれぞれ設定されている。また、他方のチャネルのデータスライス１（DS1）に対するL1シグナリング情報には、"1"であるネットワークIDと、"2"であるC2システムIDと、"1"であるPLPバンドル情報がそれぞれ設定されている。そして、データスライス０（DS0）とデータスライス１（DS1）には、"128"である特定のPLP IDが割り当てられているため、それらのデータスライス（DS0，DS1）は、バンドリングされていることになる。
【０１３９】
受信装置２０においては、チャネルスキャン時に、同一のネットワーク内の複数のC2システムを認識済みであるため、PLPバンドル情報がPLPバンドリングされていることを示している場合には、それぞれのC2システム内で特定のPLP IDを有するデータスライスがバンドリングされていると判断することができる。
【０１４０】
例えば、同一のネットワークにおける異なるC2システム間でPLPバンドリングが行われる場合には、複数のデータスライスに対して、あらかじめ定められた特定の値（例えば"128"〜"255"のいずれかの値）であるPLP IDが割り当てられるようにする。なお、"128"〜"255"の値は、PLPバンドリングを行わないPLPのPLP IDとしては通常使用されない値とする。そして、受信装置２０は、同一のネットワークにおける異なるC2システム内で、"128"である特定のPLP IDを有するデータスライス０（DS0）とデータスライス１（DS1）がバンドリングされているとみなして処理することで、１のPLP（PLP128）を再構成することができる。
【０１４１】
以上のように、運用例１ｂにおいては、L1シグナリング情報を用い、同一のネットワークであって、かつ、異なるC2システム内で、特定のPLP IDを有する複数のデータスライスがバンドリングされているとみなすことで、異なるC2システム間であってもPLPバンドリングを行うことができる。その結果、任意の空いている周波数帯域を有効に活用して、高伝送レートを実現することができる。
【０１４２】
また、運用例１ｂでは、現行のDVB-C2規格（J.382方式）の内容は変更していないが、その運用を変更していることになるため、運用例１ｂを採用することで、現行のDVB-C2規格（J.382方式）と同効率で、隣接していないチャネル（周波数帯域）で伝送されるデータスライスをPLPバンドリングすることができる。
【０１４３】
（L1シグナリング情報の構造）
図１７は、運用例１ｂで用いられるL1シグナリング情報のデータフィールドを示す図である。
【０１４４】
図１７のL1シグナリング情報は、運用例１ａで用いられるL1シグナリング情報（図９）と同様に構成される。すなわち、運用例１ｂにおいて、PLPバンドリングの対象となる複数のデータスライスには、同一のネットワークID（NETWORK_ID）と、異なるC2システムID（C2_SYSTEM_ID）が設定される。また、運用例１ｂにおいて、PLPバンドリングの対象となる複数のデータスライスには、PLP_BUNDLED="1"と、特定のPLP_ID（例えば"128"〜"255"のいずれかの値である同一のPLP ID）が設定される。
【０１４５】
次に、運用例１ｂを採用した場合に、伝送システム１を構成する送信装置１０と受信装置２０により実行される処理の詳細な内容について説明する。
【０１４６】
（送信処理）
まず、送信装置１０により実行される運用例１ｂに対応した送信処理の流れを説明する。運用例１ｂに対応した送信処理は、図１２の運用例１ａに対応した送信処理と比べて、ステップＳ１０１のPLPバンドリング送信処理の内容が異なる。そこで、図１８のフローチャートを参照して、運用例１ｂに対応したPLPバンドリング送信処理を説明する。
【０１４７】
（PLPバンドリング送信処理）
図１８は、運用例１ｂに対応したPLPバンドリング送信処理を説明するフローチャートである。
【０１４８】
ステップＳ１２１においては、PLPバンドリングの運用形態が、運用例１ｂであるかどうかが判定される。ステップＳ１２１において、運用例１ｂであると判定された場合、処理は、ステップＳ１２２に進められる。
【０１４９】
ステップＳ１２２において、PLPバンドリング設定部１５１は、PLPバンドリングの対象のデータスライスに対して、同一のネットワークID、異なるC2システムID、PLPバンドリングされていることを示すPLPバンドル情報、及び、特定のPLP IDを設定する。
【０１５０】
ここでは、例えば、PLPバンドリングの対象がデータスライス０（DS0）とデータスライス１（DS1）である場合に、一方のデータスライス０に、"1"であるネットワークIDと、"1"であるC2システムIDと、"1"であるPLPバンドル情報が設定され、他方のデータスライス１に、"1"であるネットワークIDと、"2"であるC2システムIDと、"1"であるPLPバンドル情報が設定されるようにする。また、データスライス０とデータスライス１には、特定のPLP IDとして、例えば"128"〜"255"のいずれかの値である同一のPLP IDが設定されるようにする。
【０１５１】
ステップＳ１２３において、伝送制御情報生成部１５２は、ステップＳ１２２の処理の設定内容に基づいて、L1シグナリング情報を生成する。
【０１５２】
一方、ステップＳ１２１において、運用例１ｂではないと判定された場合、処理は、ステップＳ１２４に進められる。ステップＳ１２４において、PLPバンドリング設定部１５１は、例えば、同一のネットワークであって、同一のC2システムでデータスライスを伝送する通常のPLPバンドリングの設定処理等を行う。これにより、通常のPLPバンドリングに対応したL1シグナリング情報が生成される（Ｓ１２３）。
【０１５３】
ステップＳ１２３の処理が終了すると、処理は、図１２のステップＳ１０１の処理に戻り、それ以降の処理が実行される。
【０１５４】
以上、運用例１ｂに対応したPLPバンドリング送信処理を説明した。
【０１５５】
（受信処理）
次に、受信装置２０により実行される運用例１ｂに対応した受信処理の流れを説明する。運用例１ｂに対応した受信処理は、図１４の運用例１ａに対応した受信処理と比べて、ステップＳ２０２のPLPバンドリング受信処理の内容が異なる。そこで、図１９のフローチャートを参照して、運用例１ｂに対応したPLPバンドリング受信処理を説明する。
【０１５６】
（PLPバンドリング受信処理）
図１９は、運用例１ｂに対応したPLPバンドリング受信処理を説明するフローチャートである。
【０１５７】
ステップＳ２２１において、伝送制御情報取得部２５１は、受信部２１２においてチャネルスキャンが行われることで得られるL1シグナリング情報を取得する。なお、ここでは、全周波数帯域のチャネルスキャンが行われ、チャネルごとにL1シグナリング情報が取得される。
【０１５８】
ステップＳ２２２において、PLPバンドリング制御部２５２は、ステップＳ２２１の処理で取得されたL1シグナリング情報に基づいて、同一のネットワークID、異なるC2システムID、及び、PLPバンドリングされていることを示すPLPバンドル情報が設定された、特定のPLP IDを有する複数のデータスライスが存在するかどうかを判定する。
【０１５９】
ステップＳ２２２の条件を満たした複数のデータスライスが存在すると判定された場合、処理は、ステップＳ２２３に進められる。ステップＳ２２３において、PLPバンドリング制御部２５２は、同一のネットワークであって、かつ、異なるC2システム内で、特定のPLP IDを有する複数のデータスライスがバンドリングされているとみなして、データスライス処理部２１３乃至BBフレーム処理部２１６を制御して、PLPバンドリング処理を行う。
【０１６０】
ここでは、例えば、データスライス０に、"1"であるネットワークIDと、"1"であるC2システムIDと、"1"であるPLPバンドル情報が設定され、データスライス１に、"1"であるネットワークIDと、"2"であるC2システムIDと、"1"であるPLPバンドル情報が設定されている場合に、データスライス０とデータスライス１が、特定のPLP IDとして、例えば"128"である同一のPLP IDを有しているとき、データスライス０とデータスライス１がPLPバンドリングの対象であるとみなされて、１のPLP（PLP128）が再構成される。
【０１６１】
一方、ステップＳ２２２の条件を満たした複数のデータスライスが存在しないと判定された場合、処理は、ステップＳ２２４に進められる。ステップＳ２２４において、PLPバンドリング制御部２５２は、データスライス処理部２１３乃至BBフレーム処理部２１６を制御して、例えば、同一のネットワークであって、かつ、同一のC2システムで伝送されるデータスライスに対する通常のPLPバンドリング処理等を行う。
【０１６２】
ステップＳ２２３又はステップＳ２２４の処理が終了すると、処理は、図１４のステップＳ２０２の処理に戻り、それ以降の処理が実行される。
【０１６３】
以上、運用例１ｂに対応したPLPバンドリング受信処理を説明した。
【０１６４】
（３）運用例１ｃ
【０１６５】
（運用例１ｃの概要）
図２０は、異なるC2システム間でPLPバンドリングを行う運用例１ｃを説明する図である。この運用例１ｃでは、同一のネットワークであって、かつ、異なるC2システム内で、PLPバンドル拡張情報が設定された複数のデータスライスに対して、PLPバンドリングが行われるようにする。
【０１６６】
なお、図２０において、左側の周波数帯域が、現行のDVB-C2規格（J.382方式）に対応したPLPバンドリングの対象となるチャネル等を表し、右側の周波数帯域が、本技術を適用した運用例１ｃに対応したPLPバンドリングの対象となるチャネル等を表している。図２０の左側の現行のDVB-C2規格（J.382方式）に対応したPLPバンドリングは、図８等の説明と同様であり、その説明は繰り返しになるので省略する。
【０１６７】
一方、図２０の右側の周波数帯域で示すように、本技術を適用した運用例１ｃにおいては、隣接していない5.71MHzの帯域幅からなる一方のチャネルにより１のPLP（PLP1）から分割されたデータスライス０（DS0）が伝送され、他方のチャネルにより１のPLP（PLP1）から分割されたデータスライス１（DS1）が伝送されている。
【０１６８】
このとき、一方のチャネルのデータスライス０（DS0）に対するL1シグナリング情報には、"1"であるネットワークIDと、"1"であるC2システムIDと、"1"であるPLPバンドル情報と、"1"であるPLPバンドル拡張情報がそれぞれ設定されている。また、他方のチャネルのデータスライス１（DS1）に対するL1シグナリング情報には、"1"であるネットワークIDと、"2"であるC2システムIDと、"1"であるPLPバンドル情報と、"1"であるPLPバンドル拡張情報がそれぞれ設定されている。すなわち、データスライス０（DS0）とデータスライス１（DS1）には、PLPバンドル拡張情報が設定されているため、それらのデータスライス（DS0，DS1）は、バンドリングされていることになる。
【０１６９】
受信装置２０においては、チャネルスキャン時に、同一のネットワーク内の複数のC2システムを認識済みであるため、PLPバンドル拡張情報が、同一のネットワークにおける異なるC2システム間でPLPバンドリングが行われることを示している場合には、それぞれのC2システムで伝送されるデータスライスがバンドリングされていると判断することができる。よって、受信装置２０は、同一のネットワークにおける異なるC2システム内で、PLPバンドル拡張情報が設定されているデータスライス０（DS0）とデータスライス１（DS1）がバンドリングされているとみなして処理することで、１のPLP（PLP1）を再構成することができる。
【０１７０】
以上のように、運用例１ｃにおいては、L1シグナリング情報を用い、同一のネットワークであって、かつ、異なるC2システム内で、PLPバンドル拡張情報が設定された複数のデータスライスに対して、PLPバンドリングが行われるようにすることで、異なるC2システム間であってもPLPバンドリングを行うことができる。その結果、任意の空いている周波数帯域を有効に活用して、高伝送レートを実現することができる。なお、運用例１ｃでは、現行のDVB-C2規格（J.382方式）の内容を拡張し、さらにその運用を変更していることになる。
【０１７１】
（L1シグナリング情報の構造）
図２１は、運用例１ｃで用いられるL1シグナリング情報のデータフィールドを示す図である。
【０１７２】
図２１のL1シグナリング情報は、運用例１ａで用いられるL1シグナリング情報（図９）と比べて、8ビットのリザーブド領域１に、1ビットのPLP_BUNDLED_EXTが配置され、残りの7ビットがリザーブド領域１とされている点が異なる。すなわち、PLP_BUNDLED_EXTは、PLPバンドル拡張情報であって、異なるC2システム内で関連するPLPとバンドルされているかどうかを示す。関連するPLPがバンドルされる場合、このフィールドの値が"1"に設定される。そうでない場合には、"0"に設定される。
【０１７３】
また、運用例１ｃにおいて、PLPバンドリングの対象となる複数のデータスライスには、同一のネットワークID（NETWORK_ID）と、異なるC2システムID（C2_SYSTEM_ID）が設定される。さらに、運用例１ｃにおいて、PLPバンドリングの対象となる複数のデータスライスには、PLP_BUNDLED="1"と、同一のPLP_IDが設定される。なお、運用例１ｃにおいては、その運用形態に応じて、PLP_BUNDLEDとして"0"が設定されるようにしてもよい。
【０１７４】
次に、運用例１ｃを採用した場合に、伝送システム１を構成する送信装置１０と受信装置２０により実行される処理の詳細な内容について説明する。
【０１７５】
（送信処理）
まず、送信装置１０により実行される運用例１ｃに対応した送信処理の流れを説明する。運用例１ｃに対応した送信処理は、図１２の運用例１ａに対応した送信処理と比べて、ステップＳ１０１のPLPバンドリング送信処理の内容が異なる。そこで、図２２のフローチャートを参照して、運用例１ｃに対応したPLPバンドリング送信処理を説明する。
【０１７６】
（PLPバンドリング送信処理）
図２２は、運用例１ｃに対応したPLPバンドリング送信処理を説明するフローチャートである。
【０１７７】
ステップＳ１３１においては、PLPバンドリングの運用形態が、運用例１ｃであるかどうかが判定される。ステップＳ１３１において、運用例１ｃであると判定された場合、処理は、ステップＳ１３２に進められる。
【０１７８】
ステップＳ１３２において、PLPバンドリング設定部１５１は、PLPバンドリングの対象のデータスライスに対して、同一のネットワークID、異なるC2システムID、PLPバンドリングされていることを示すPLPバンドル情報、及び、異なるC2システム間でPLPバンドリングされていることを示すPLPバンドル拡張情報を設定する。
【０１７９】
ここでは、例えば、PLPバンドリングの対象がデータスライス０（DS0）とデータスライス１（DS1）である場合に、一方のデータスライス０に、"1"であるネットワークIDと、"1"であるC2システムIDと、"1"であるPLPバンドル情報と、"1"であるPLPバンドル拡張情報が設定され、他方のデータスライス１に、"1"であるネットワークIDと、"2"であるC2システムIDと、"1"であるPLPバンドル情報と、"1"であるPLPバンドル拡張情報が設定されるようにする。なお、データスライス０とデータスライス１には、例えば、"1"である同一のPLP IDが設定されるようにする。
【０１８０】
ステップＳ１３３において、伝送制御情報生成部１５２は、ステップＳ１３２の処理の設定内容に基づいて、L1シグナリング情報を生成する。
【０１８１】
一方、ステップＳ１３１において、運用例１ｃではないと判定された場合、処理は、ステップＳ１３４に進められる。ステップＳ１３４において、PLPバンドリング設定部１５１は、例えば、同一のネットワークであって、同一のC2システムでデータスライスを伝送する通常のPLPバンドリングの設定処理等を行う。これにより、通常のPLPバンドリングに対応したL1シグナリング情報が生成される（Ｓ１３３）。
【０１８２】
ステップＳ１３３の処理が終了すると、処理は、図１２のステップＳ１０１の処理に戻り、それ以降の処理が実行される。
【０１８３】
以上、運用例１ｃに対応したPLPバンドリング送信処理を説明した。
【０１８４】
（受信処理）
次に、受信装置２０により実行される運用例１ｃに対応した受信処理の流れを説明する。運用例１ｃに対応した受信処理は、図１４の運用例１ａに対応した受信処理と比べて、ステップＳ２０２のPLPバンドリング受信処理の内容が異なる。そこで、図２３のフローチャートを参照して、運用例１ｃに対応したPLPバンドリング受信処理を説明する。
【０１８５】
（PLPバンドリング受信処理）
図２３は、運用例１ｃに対応したPLPバンドリング受信処理を説明するフローチャートである。
【０１８６】
ステップＳ２３１において、伝送制御情報取得部２５１は、受信部２１２においてチャネルスキャンが行われることで得られるL1シグナリング情報を取得する。なお、ここでは、全周波数帯域のチャネルスキャンが行われ、チャネルごとにL1シグナリング情報が取得される。
【０１８７】
ステップＳ２３２において、PLPバンドリング制御部２５２は、ステップＳ２３１の処理で取得されたL1シグナリング情報に基づいて、同一のネットワークID、異なるC2システムID、PLPバンドリングされていることを示すPLPバンドル情報、及び、異なるC2システム間でPLPバンドリングされていることを示すPLPバンドル拡張情報が設定された複数のデータスライスが存在するかどうかを判定する。
【０１８８】
ステップＳ２３２の条件を満たした複数のデータスライスが存在すると判定された場合、処理は、ステップＳ２３３に進められる。ステップＳ２３３において、PLPバンドリング制御部２５２は、同一のネットワークであって、かつ、異なるC2システム内で、異なるC2システム間でPLPバンドリングされていることを示すPLPバンドル拡張情報が設定されている複数のデータスライスがバンドリングされているとみなして、データスライス処理部２１３乃至BBフレーム処理部２１６を制御して、PLPバンドリング処理を行う。
【０１８９】
ここでは、例えば、データスライス０に、"1"であるネットワークIDと、"1"であるC2システムIDと、"1"であるPLPバンドル情報と、"1"であるPLPバンドル拡張情報が設定され、データスライス１に、"1"であるネットワークIDと、"2"であるC2システムIDと、"1"であるPLPバンドル情報と、"1"であるPLPバンドル拡張情報が設定されている場合に、"1"である同一のPLP IDを有するデータスライス０とデータスライス１がPLPバンドリングの対象であるとみなされて、１のPLP（PLP1）が再構成される。
【０１９０】
一方、ステップＳ２３２の条件を満たした複数のデータスライスが存在しないと判定された場合、処理は、ステップＳ２３４に進められる。ステップＳ２３４において、PLPバンドリング制御部２５２は、データスライス処理部２１３乃至BBフレーム処理部２１６を制御して、例えば、同一のネットワークであって、かつ、同一のC2システムで伝送されるデータスライスに対する通常のPLPバンドリング処理等を行う。
【０１９１】
ステップＳ２３３又はステップＳ２３４の処理が終了すると、処理は、図１４のステップＳ２０２の処理に戻り、それ以降の処理が実行される。
【０１９２】
以上、運用例１ｃに対応したPLPバンドリング受信処理を説明した。
【０１９３】
（４）運用例２
【０１９４】
（運用例２の概要）
運用例２では、同一のネットワークであって、かつ、異なるC2システム内で、複数のデータスライスに対して、PLPバンドリングが行われるようにするために、同一のネットワークにおける異なるC2システム間で行われるPLPバンドリングに関する情報（以下、「C2システム間PLPバンドリング情報」という）を定義して、DVB-C2規格で規定されたCommon PLPで伝送されるようにする。
【０１９５】
なお、DVB-C2規格においては、TS（Transport Stream）の伝送が行われる場合に、複数のTSに共通するパケットを抜き出したCommon PLPと呼ばれるパケット系列と、共通のパケットが抜き出されたData PLPと呼ばれるパケット系列によって、データを伝送することが規定されている。この場合、受信側では、Common PLPとData PLPから１つのTSを復元することになる。
【０１９６】
（C2システム間PLPバンドリング情報の構造）
図２４は、C2システム間PLPバンドリング情報の構成例を示す図である。
【０１９７】
8ビットのtable_tagは、テーブルを識別するタグを示している。16ビットのtable_lengthは、テーブル長を示している。
【０１９８】
8ビットのNUM_OF_PLPは、伝送されるPLPの数を示している。この伝送されるPLPの数に応じたPLPループには、次のフィールドが配置される。8ビットのPLP_IDは、PLPを識別するPLP IDを示している。
【０１９９】
4ビットのNUM_OF_BUNDLED_CHANNELは、１のPLPがいくつのデータスライス（DS）に分割されて伝送されているかの数を示している。ただし、PLPバンドリングで伝送されないPLPについては、"1"が設定される。このPLPの分割数に応じたバンドルチャネルループには、次のフィールドが配置される。
【０２００】
16ビットのC2_SYSTEM_IDは、C2システムを一意に識別するC2システムIDを示している。8ビットのDSLICE_IDは、データスライスを一意に識別するデータスライスIDを示している。C2_tuning_frequencyは、チューニング周波数を示している。C2_tuning_frequency_typeは、チューニング周波数のタイプを示している。active_OFDM_symbol_durationは、アクティブなOFDMシンボルの継続時間を示している。guard_intervalは、ガードインターバルを示している。
【０２０１】
なお、C2システム間PLPバンドリング情報は、今後の拡張なども考慮しつつ、図２５に示したC2 delivery system descriptorとできるだけ同じ構成を採用することが望ましい。
【０２０２】
（L1シグナリングの構造）
図２６は、運用例２で用いられるL1シグナリング情報のデータフィールドを示す図である。図２６のL1シグナリングの構造は、運用例１ａで用いられるL1シグナリング情報（図９）と同様に構成される。
【０２０３】
ここでは、同一のネットワークにおける異なるC2システム間で行われるPLPバンドリングに関する全ての情報を、L1シグナリング情報に配置しようとすると、L1シグナリング情報のリザーブド領域では不足してしまうので、運用例２では、C2システム間PLPバンドリング情報を定義して、そこに配置するようにしている。
【０２０４】
以上のように、運用例２においては、Common PLPで伝送されるC2システム間PLPバンドリング情報を用いることで、同一のネットワークであって、かつ、異なるC2システム間であってもPLPバンドリングを行うことができる。その結果、任意の空いている周波数帯域を有効に活用して、高伝送レートを実現することができる。
【０２０５】
また、運用例２では、現行のDVB-C2規格（J.382方式）の内容は変更していないが、その運用を変更していることになるため、運用例２を採用することで、現行のDVB-C2規格（J.382方式）とほぼ同効率で、隣接していないチャネル（周波数帯域）で伝送されるデータスライスをPLPバンドリングすることができる。
【０２０６】
さらに、チャネルごとに伝送されるC2システム間PLPバンドリング情報（いわば、チャネル情報であると言える）には、同一のネットワークにおける異なるC2システム間で行われるPLPバンドリングに関する情報が全て含まれているため、受信装置２０は、１つのチャネルのCommon PLPで伝送されるC2システム間PLPバンドリング情報を取得するだけで、PLPバンドリングに関する情報を全て得ることができる。ただし、送信装置１０では、定期的に、Common PLPでC2システム間PLPバンドリング情報を送信する必要がある。
【０２０７】
なお、異なるC2システム間で行われるPLPバンドリングに関する情報を、TSの記述子に埋め込むようにすることも想定できるが、受信装置２０では、そもそもPLPバンドリングされていることを先に認識しておかないと、当該記述子を取得することができない。それに対して、運用例２のように、異なるC2システム間で行われるPLPバンドリングに関する情報を、C2システム間PLPバンドリング情報としてCommon PLPで伝送するようにすれば、受信装置２０は、PLPバンドリングされていることを認識していないとしても、C2システム間PLPバンドリング情報を取得することができる。
【０２０８】
次に、運用例２を採用した場合に、伝送システム１を構成する送信装置１０と受信装置２０により実行される処理の詳細な内容について説明する。
【０２０９】
（送信処理）
まず、送信装置１０により実行される運用例２に対応した送信処理の流れを説明する。運用例２に対応した送信処理は、図１２の運用例１ａに対応した送信処理と比べて、ステップＳ１０１のPLPバンドリング送信処理の内容が異なる。そこで、図２７のフローチャートを参照して、運用例２に対応したPLPバンドリング送信処理を説明する。
【０２１０】
（PLPバンドリング送信処理）
図２７は、運用例２に対応したPLPバンドリング送信処理を説明するフローチャートである。
【０２１１】
ステップＳ１４１においては、PLPバンドリングの運用形態が、運用例２であるかどうかが判定される。ステップＳ１４１において、運用例２であると判定された場合、処理は、ステップＳ１４２に進められる。
【０２１２】
ステップＳ１４２において、PLPバンドリング設定部１５１は、同一のネットワークにおける異なるC2システム間で行われるPLPバンドリングに関する情報を設定する。ここでは、例えば、PLPバンドリングの対象がデータスライス０（DS0）とデータスライス１（DS1）である場合、同一のPLP IDのほか、データスライスごとに、C2システムIDやデータスライスID等が設定される。
【０２１３】
ステップＳ１４３において、伝送制御情報生成部１５２は、ステップＳ１４２の処理の設定内容に基づいて、C2システム間PLPバンドリング情報を生成する。例えば、C2システム間PLPバンドリング情報においては、１のPLP（PLP1）のバンドルチャネルループ内に、データスライス０（DS0）とデータスライス１（DS1）に関するC2システムIDやデータスライスID等が配置される。また、C2システム間PLPバンドリング情報には、同一のネットワークにおける異なるC2システム間で行われるPLPバンドリングに関する情報が全て含まれることになる。
【０２１４】
一方、ステップＳ１４１において、運用例２ではないと判定された場合、処理は、ステップＳ１４４に進められる。ステップＳ１４４において、PLPバンドリング設定部１５１は、例えば、同一のネットワークであって、同一のC2システムでデータスライスを伝送する通常のPLPバンドリングの設定処理等を行う。これにより、通常のPLPバンドリングに対応したL1シグナリング情報が生成される。
【０２１５】
ステップＳ１４３又はステップＳ１４４の処理が終了すると、処理は、図１２のステップＳ１０１の処理に戻り、それ以降の処理が実行される。ただし、図１２のステップＳ１０２の送信処理において、ステップＳ１４３の処理で生成されたC2システム間PLPバンドリング情報は、Common PLPで伝送されることになる。
【０２１６】
以上、運用例２に対応したPLPバンドリング送信処理を説明した。
【０２１７】
（受信処理）
次に、受信装置２０により実行される運用例２に対応した受信処理の流れを説明する。運用例２に対応した受信処理は、図１４の運用例１ａに対応した受信処理と比べて、ステップＳ２０２のPLPバンドリング受信処理の内容が異なる。そこで、図２８のフローチャートを参照して、運用例２に対応したPLPバンドリング受信処理を説明する。
【０２１８】
（PLPバンドリング受信処理）
図２８は、運用例２に対応したPLPバンドリング受信処理を説明するフローチャートである。
【０２１９】
ステップＳ２４１において、伝送制御情報取得部２５１は、受信部２１２においてチャネルスキャンが行われることで得られる、伝送制御情報としてのC2システム間PLPバンドリング情報を取得する。ここでは、１つのチャネルのCommon PLPで伝送されるC2システム間PLPバンドリング情報を取得するだけで、同一のネットワークにおける異なるC2システム間で行われるPLPバンドリングに関する情報を全て得ることができる。
【０２２０】
ステップＳ２４２において、PLPバンドリング制御部２５２は、ステップＳ２４１の処理で取得されたC2システム間PLPバンドリング情報に基づいて、同一のネットワークにおける異なるC2システム間で、バンドリングされた複数のデータスライスが存在するかどうかを判定する。
【０２２１】
ステップＳ２４２において、同一のネットワークにおける異なるC2システム間で、バンドリングされた複数のデータスライスが存在すると判定された場合、処理は、ステップＳ２４３に進められる。ステップＳ２４３において、PLPバンドリング制御部２５２は、ステップＳ２４１の処理で取得されたC2システム間PLPバンドリング情報に基づいて、データスライス処理部２１３乃至BBフレーム処理部２１６を制御して、同一のネットワークにおける異なるC2システム間でバンドリングされた複数のデータスライスに対して、PLPバンドリング処理を行う。
【０２２２】
ここでは、例えば、C2システム間PLPバンドリング情報においては、１のPLP（PLP1）のバンドルチャネルループ内に、データスライス０（DS0）とデータスライス１（DS1）に関するC2システムIDやデータスライスID等が配置されている場合、それらのデータスライスがPLPバンドリングの対象となるので、データスライス０（DS0）とデータスライス１（DS1）を処理することで、１のPLP（PLP1）が再構成される。
【０２２３】
一方、ステップＳ２４２において、同一のネットワークにおける異なるC2システム間で、バンドリングされた複数のデータスライスが存在しないと判定された場合、処理は、ステップＳ２４４に進められる。ステップＳ２４４において、PLPバンドリング制御部２５２は、データスライス処理部２１３乃至BBフレーム処理部２１６を制御して、例えば、同一のネットワークであって、かつ、同一のC2システムで伝送されるデータスライスに対する通常のPLPバンドリング処理等を行う。
【０２２４】
ステップＳ２４３又はステップＳ２４４の処理が終了すると、処理は、図１４のステップＳ２０２の処理に戻り、それ以降の処理が実行される。
【０２２５】
以上、運用例２に対応したPLPバンドリング受信処理を説明した。
【０２２６】
＜４．コンピュータの構成＞
【０２２７】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。図２９は、上述した一連の処理をプログラムにより実行するコンピュータのハードウェアの構成例を示す図である。
【０２２８】
コンピュータ９００において、CPU（Central Processing Unit）９０１，ROM（Read Only Memory）９０２，RAM（Random Access Memory）９０３は、バス９０４により相互に接続されている。バス９０４には、さらに、入出力インターフェース９０５が接続されている。入出力インターフェース９０５には、入力部９０６、出力部９０７、記録部９０８、通信部９０９、及び、ドライブ９１０が接続されている。
【０２２９】
入力部９０６は、キーボード、マウス、マイクロフォンなどよりなる。出力部９０７は、ディスプレイ、スピーカなどよりなる。記録部９０８は、ハードディスクや不揮発性のメモリなどよりなる。通信部９０９は、ネットワークインターフェースなどよりなる。ドライブ９１０は、磁気ディスク、光ディスク、光磁気ディスク、又は半導体メモリなどのリムーバブルメディア９１１を駆動する。
【０２３０】
以上のように構成されるコンピュータ９００では、CPU９０１が、ROM９０２や記録部９０８に記憶されているプログラムを、入出力インターフェース９０５及びバス９０４を介して、RAM９０３にロードして実行することにより、上述した一連の処理が行われる。
【０２３１】
コンピュータ９００（CPU９０１）が実行するプログラムは、例えば、パッケージメディア等としてのリムーバブルメディア９１１に記録して提供することができる。また、プログラムは、ローカルエリアネットワーク、インターネット、デジタル衛星放送といった、有線又は無線の伝送媒体を介して提供することができる。
【０２３２】
コンピュータ９００では、プログラムは、リムーバブルメディア９１１をドライブ９１０に装着することにより、入出力インターフェース９０５を介して、記録部９０８にインストールすることができる。また、プログラムは、有線又は無線の伝送媒体を介して、通信部９０９で受信し、記録部９０８にインストールすることができる。その他、プログラムは、ROM９０２や記録部９０８に、あらかじめインストールしておくことができる。
【０２３３】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されるものであってもよいし、複数のコンピュータによって分散処理されるものであってもよい。
【０２３４】
なお、本技術の実施の形態は、上述した実施の形態に限定されるものではなく、本技術の要旨を逸脱しない範囲において種々の変更が可能である。
【０２３５】
また、本技術は、以下のような構成をとることができる。
【０２３６】
（１）
BB（BaseBand）フレームのストリームであるBBストリームのBBフレームを、複数のデータスライスに分配することで得られる複数の分割ストリームを受信する受信部と、
前記複数の分割ストリームから、元の前記BBストリームを再構成する再構成部と
を備え、
前記再構成部は、前記複数の分割ストリームが隣接していない周波数帯域で伝送される場合、伝送制御情報に含まれる、隣接していない周波数帯域で伝送される前記複数の分割ストリームから元の前記BBストリームを再構成するための再構成情報に基づいて、元の前記BBストリームを再構成する
受信装置。
（２）
前記複数の分割ストリームは、DVB-C2（Digital Video Broadcasting - Cable second generation）規格で規定されたPLP（Physical Layer Pipe）バンドリングに従い、同一のネットワークにおける異なるC2システムで伝送される
（１）に記載の受信装置。
（３）
前記伝送制御情報は、L1シグナリング情報であり、
前記複数の分割ストリームごとの前記L1シグナリング情報は、前記再構成情報として、ネットワークID、C2システムID、PLPがバンドルされていることを示すPLPバンドル情報、及び、PLP IDを少なくとも含み、
前記再構成部は、同一のネットワークであって、かつ、異なるC2システム内で、同一のPLP IDを有する前記複数の分割ストリームから、元の前記BBストリームを再構成する
（２）に記載の受信装置。
（４）
前記伝送制御情報は、L1シグナリング情報であり、
前記複数の分割ストリームごとの前記L1シグナリング情報は、前記再構成情報として、ネットワークID、C2システムID、PLPがバンドルされていることを示すPLPバンドル情報、及び、PLP IDを少なくとも含み、
前記再構成部は、同一のネットワークであって、かつ、異なるC2システム内で、特定のPLP IDを有する前記複数の分割ストリームから、元の前記BBストリームを再構成する
（２）又は（３）に記載の受信装置。
（５）
前記伝送制御情報は、L1シグナリング情報であり、
前記複数の分割ストリームごとの前記L1シグナリング情報は、前記再構成情報として、ネットワークID、C2システムID、及び、異なるC2システムでPLPがバンドルされていることを示すPLPバンドル拡張情報を少なくとも含み、
前記再構成部は、同一のネットワークであって、かつ、異なるC2システム内で、前記PLPバンドル拡張情報が設定された前記複数の分割ストリームから、元の前記BBストリームを再構成する
（２）に記載の受信装置。
（６）
前記伝送制御情報は、DVB-C2規格で規定されたCommon PLPで伝送される、同一のネットワークにおける異なるC2システム間で行われるPLPバンドリングに関する情報を含むC2システム間PLPバンドリング情報であり、
前記再構成部は、前記C2システム間PLPバンドリング情報に含まれる前記再構成情報に基づいて、前記複数の分割ストリームから、元の前記BBストリームを再構成する
（２）に記載の受信装置。
（７）
受信装置の受信方法において、
前記受信装置が、
BBフレームのストリームであるBBストリームのBBフレームを、複数のデータスライスに分配することで得られる複数の分割ストリームを受信する受信ステップと、
前記複数の分割ストリームから、元の前記BBストリームを再構成ステップと
を含み、
前記再構成ステップの処理によって、前記複数の分割ストリームが隣接していない周波数帯域で伝送される場合、伝送制御情報に含まれる、隣接していない周波数帯域で伝送される前記複数の分割ストリームから元の前記BBストリームを再構成するための再構成情報に基づいて、元の前記BBストリームを再構成する
受信方法。
（８）
前記複数の分割ストリームは、DVB-C2規格で規定されたPLPバンドリングに従い、同一のネットワークにおける異なるC2システムで伝送される
（７）に記載の受信方法。
（９）
前記伝送制御情報は、L1シグナリング情報であり、
前記複数の分割ストリームごとの前記L1シグナリング情報は、前記再構成情報として、ネットワークID、C2システムID、PLPがバンドルされていることを示すPLPバンドル情報、及び、PLP IDを少なくとも含み、
前記再構成ステップの処理によって、同一のネットワークであって、かつ、異なるC2システム内で、同一のPLP IDを有する前記複数の分割ストリームから、元の前記BBストリームを再構成する
（８）に記載の受信方法。
（１０）
前記伝送制御情報は、L1シグナリング情報であり、
前記複数の分割ストリームごとの前記L1シグナリング情報は、前記再構成情報として、ネットワークID、C2システムID、PLPがバンドルされていることを示すPLPバンドル情報、及び、PLP IDを少なくとも含み、
前記再構成ステップの処理によって、同一のネットワークであって、かつ、異なるC2システム内で、特定のPLP IDを有する前記複数の分割ストリームから、元の前記BBストリームを再構成する
（８）又は（９）に記載の受信方法。
（１１）
前記伝送制御情報は、L1シグナリング情報であり、
前記複数の分割ストリームごとの前記L1シグナリング情報は、前記再構成情報として、ネットワークID、C2システムID、及び、異なるC2システムでPLPがバンドルされていることを示すPLPバンドル拡張情報を少なくとも含み、
前記再構成ステップの処理によって、同一のネットワークであって、かつ、異なるC2システム内で、前記PLPバンドル拡張情報が設定された前記複数の分割ストリームから、元の前記BBストリームを再構成する
（８）に記載の受信方法。
（１２）
前記伝送制御情報は、DVB-C2規格で規定されたCommon PLPで伝送される、同一のネットワークにおける異なるC2システム間で行われるPLPバンドリングに関する情報を含むC2システム間PLPバンドリング情報であり、
前記再構成ステップの処理によって、前記C2システム間PLPバンドリング情報に含まれる前記再構成情報に基づいて、前記複数の分割ストリームから、元の前記BBストリームを再構成する
（８）に記載の受信方法。
（１３）
BBフレームのストリームであるBBストリームのBBフレームを、複数のデータスライスに分配することで得られる複数の分割ストリームが、隣接していない周波数帯域で伝送される場合に、隣接していない周波数帯域で伝送される前記複数の分割ストリームから元の前記BBストリームを再構成するための再構成情報を含む伝送制御情報を生成する生成部と、
前記複数の分割ストリームとともに、前記伝送制御情報を送信する送信部と
を備える送信装置。
（１４）
前記複数の分割ストリームは、DVB-C2規格で規定されたPLPバンドリングに従い、同一のネットワークにおける異なるC2システムで伝送される
（１３）に記載の送信装置。
（１５）
前記伝送制御情報は、L1シグナリング情報であり、
前記複数の分割ストリームごとの前記L1シグナリング情報は、前記再構成情報として、ネットワークID、C2システムID、及び、異なるC2システムでPLPがバンドルされていることを示すPLPバンドル拡張情報を少なくとも含んでいる
（１４）に記載の送信装置。
（１６）
前記伝送制御情報は、DVB-C2規格で規定されたCommon PLPで伝送される、同一のネットワークにおける異なるC2システム間で行われるPLPバンドリングに関する情報を含むC2システム間PLPバンドリング情報であり、
前記C2システム間PLPバンドリング情報は、前記再構成情報を含んでいる
（１４）に記載の送信装置。
（１７）
送信装置の送信方法において、
前記送信装置が、
BBフレームのストリームであるBBストリームのBBフレームを、複数のデータスライスに分配することで得られる複数の分割ストリームが、隣接していない周波数帯域で伝送される場合に、隣接していない周波数帯域で伝送される前記複数の分割ストリームから元の前記BBストリームを再構成するための再構成情報を含む伝送制御情報を生成する生成ステップと、
前記複数の分割ストリームとともに、前記伝送制御情報を送信する送信ステップと
を含む送信方法。
（１８）
前記複数の分割ストリームは、DVB-C2規格で規定されたPLPバンドリングに従い、同一のネットワークにおける異なるC2システムで伝送される
（１７）に記載の送信方法。
（１９）
前記伝送制御情報は、L1シグナリング情報であり、
前記複数の分割ストリームごとの前記L1シグナリング情報は、前記再構成情報として、ネットワークID、C2システムID、及び、異なるC2システムでPLPがバンドルされていることを示すPLPバンドル拡張情報を少なくとも含んでいる
（１８）に記載の送信方法。
（２０）
前記伝送制御情報は、DVB-C2規格で規定されたCommon PLPで伝送される、同一のネットワークにおける異なるC2システム間で行われるPLPバンドリングに関する情報を含むC2システム間PLPバンドリング情報であり、
前記C2システム間PLPバンドリング情報は、前記再構成情報を含んでいる
（１８）に記載の送信方法。
【符号の説明】
【０２３７】
１  伝送システム，  １０  送信装置，  ２０  受信装置，  ３０  伝送路，  １１１  制御部，  １１２  BBフレーム生成部，  １１３  BBフレーム分配部，  １１４  データスライス処理部，  １１５  フレーム構成部，  １１６  送信部，  １５１  PLPバンドリング設定部，  １５２  伝送制御情報生成部，  ２１１  制御部，  ２１２  受信部，  ２１３  データスライス処理部，  ２１４  バッファ，  ２１５  BBフレーム選択部，  ２１６  BBフレーム処理部，  ２５１  伝送制御情報取得部，  ２５２  PLPバンドリング制御部，  ９００  コンピュータ，  ９０１  CPU
【図１】
0006604335.tif 000002
【図２】
0006604335.tif 000003
【図３】
0006604335.tif 000004
【図４】
0006604335.tif 000005
【図５】
0006604335.tif 000006
【図６】
0006604335.tif 000007
【図７】
0006604335.tif 000008
【図８】
0006604335.tif 000009
【図９】
0006604335.tif 000010
【図１０】
0006604335.tif 000011
【図１１】
0006604335.tif 000012
【図１２】
0006604335.tif 000013
【図１３】
0006604335.tif 000014
【図１４】
0006604335.tif 000015
【図１５】
0006604335.tif 000016
【図１６】
0006604335.tif 000017
【図１７】
0006604335.tif 000018
【図１８】
0006604335.tif 000019
【図１９】
0006604335.tif 000020
【図２０】
0006604335.tif 000021
【図２１】
0006604335.tif 000022
【図２２】
0006604335.tif 000023
【図２３】
0006604335.tif 000024
【図２４】
0006604335.tif 000025
【図２５】
0006604335.tif 000026
【図２６】
0006604335.tif 000027
【図２７】
0006604335.tif 000028
【図２８】
0006604335.tif 000029
【図２９】
0006604335.tif 000030